(57)【要約】【課題】  画像形成装置において、フルカラー画像の入力画像データを、容易に任意の色相に単色相化して出力する。【解決手段】  予め入力画像データと出力画像データとが対応づけられた色変換テーブルを備えた画像形成装置であって、入力した第一の画像データを色相値を含む第二の画像データに変換する第一データ変換手段と、前記色相値を予め指定された一の色相値に置換するデータ置換手段と、前記データ置換手段を介して得られた画像データに対して前記第一データ変換手段の逆変換を実行する第二データ変換手段と、を備えた単色相化処理部５００と、前記第二データ変換手段を介して得られた画像データを前記色変換テーブルを参照することによって出力形式の画像データに変換する色変換処理部１０２と、からなる構成としてある。【選択図】      図１
2009010572.tif 000002
【特許請求の範囲】
【請求項１】
予め入力画像データと出力画像データとが対応づけられた色変換テーブルを備え、当該色変換テーブルを参照することによって入力した画像データを出力形式の画像データに変換し出力を行う画像形成装置であって、
入力した第一の画像データを、色相値を含む第二の画像データに変換する第一データ変換手段と、
前記第二の画像データに含まれる色相値を、予め指定された一の色相値に置換するデータ置換手段と、
前記データ置換手段を介して得られた画像データに対して、前記第一データ変換手段の逆変換を実行する第二データ変換手段と、
前記第二データ変換手段を介して得られた画像データを、前記色変換テーブルを参照することによって出力形式の画像データに変換する色変換手段と、を備えることを特徴とする画像形成装置。
【請求項２】
前記第一の画像データは、ＲＧＢ形式の画像データである請求項1の画像形成装置。
【請求項３】
前記第二の画像データは、ＨＣＢ形式の画像データである請求項１又は２の画像形成装置。
【請求項４】
前記出力形式の画像データは、ＣＭＹＫ形式の画像データである請求項１乃至３のいずれかの画像形成装置。
【請求項５】
予め入力画像データと出力画像データとが対応づけられた色変換テーブルを備え当該色変換テーブルを参照することによって入力した画像データを出力形式の画像データに変換し出力を行う画像形成装置によって、所定の入力画像データを任意の色相に単色相化して出力する画像処理方法であって、
入力した第一の画像データを、色相値を含む第二の画像データに変換する第一のステップと、
前記第二の画像データに含まれる色相値を、予め指定された一の色相値に置換する第二のステップと、
前記第二のステップを介して得られた画像データに対して、前記第一のステップで行った変換の逆変換を実行する第三のステップと、
前記第三のステップを介して得られた画像データを、前記色変換テーブルを参照することによって、出力形式の画像データに変換する第四のステップと、
前記第四のステップを介して得られた画像データを出力する第五のステップと、を有する画像処理方法。
【請求項６】
予め入力画像データと出力画像データとが対応づけられた色変換テーブルを備え、当該色変換テーブルを参照することによって入力した画像データを出力形式の画像データに変換し出力を行う画像形成装置によって、所定の入力画像データを任意の色相に単色相化して出力する画像処理プログラムであって、
前記画像形成装置を構成するコンピュータを、
入力した第一の画像データを、色相値を含む第二の画像データに変換する第一データ変換手段、
前記第二の画像データに含まれる色相値を、予め指定された一の色相値に置換するデータ置換手段、
前記データ置換手段を介して得られた画像データに対して、前記第一データ変換手段の逆変換を実行する第二データ変換手段、
前記第二データ変換手段を介して得られた画像データを、前記色変換テーブルを参照することによって出力形式の画像データに変換する色変換手段、として機能させるための画像処理プログラム。
【発明の詳細な説明】
【技術分野】
【０００１】
本発明は、画像形成装置に関し、より詳しくは、ＲＧＢ形式からなる入力フルカラー画像を所望の単色相の画像に変換して出力する画像形成装置に関する。
【背景技術】
【０００２】
従来、カラープリンタ等の画像形成装置では、入力されるＲＧＢ形式のカラー画像データを所定の色変換テーブル（LUT：Look Up Table）を用いることによって、相応するＣＭＹＫ形式の画像データに変換して印刷出力するようにしている。
具体的には、図１０のブロック図に示すように、画像情報入力部１０１ａによって入力されたＲＧＢ形式の画像データは、色変換テーブルを含む色変換処理部１０２ａを介してＣＭＹＫ形式の画像データに変換され、ガンマ補正部１０３ａ及びスクリーン処理部１０４ａにおける各処理を介し、画像情報出力部１０５ａによって出力される。
したがって、カラー画像形成装置の分野においては、原色をいかに忠実に再現するか、ということが優先的な課題となっている。
しかし、ユーザの利用の仕方によっては、常に原色に忠実な出力画像ではなく、白黒などのモノクロームカラーによる出力を望む場合もあり、また、再現の精度よりも高速性を望む場合もある。
【０００３】
このため、所定のフルカラー領域に属するＲＧＢ値を単色の色値に変換するカラー画像処理方法や、色相軸ごとに色調整を行う装置が提案されている（例えば、特許文献１，２参照）。
具体的に、特許文献１に記載のカラー画像処理方法によれば、対象となる画像データ（ＲＧＢデータ）をＸＹＺ値に変換し、さらにこれをｘｙＹ値に変換する。そして、ｘｙＹ値が、黒、青、赤、黄、白系のうちいずれの領域に属するか否かを判定し、その判定結果に応じた単色を出力するようにしている。
また、特許文献２に記載の色調整装置は、色度図における色相軸上を複数に分割し、分割された色相軸の中から選択された色相軸ごとに色相、明度、色彩度を調整することができるようになっている。
【０００４】
【特許文献１】特開２００２−２９０７５０号公報
【特許文献２】特開２００４−６４１９８号公報
【発明の開示】
【発明が解決しようとする課題】
【０００５】
しかしながら、以上のような従来提案されている文献のうち、特許文献１のカラー画像処理方法は、単色からなる被写体の画像出力時の忠実な再現を目的としているため、原色の再現には効果的だが、フルカラーの被写体を単色相のモノクロームカラーに変換する手段としては非効率である。したがって、高速化を共に求めるのであればハードウェアの改造、ＡＳＩＣ規模の拡大等が必要となり、コストの増大につながることとなる。
また、特許文献１又は特許文献２のいずれの方法によっても、白黒からなる画像の出力は可能だが、他の単色相（例えば、赤、緑、青）でのモノクローム出力は不可能である。したがって、ユーザが所望の色相を選択する余地はなく、不便である。
【０００６】
本発明は、以上のような従来の技術が有する問題を解決するために提案されたものであり、入力されたフルカラー画像を、必要に応じて単色相の画像により容易に変換して出力することを可能とするだけでなく、ユーザの任意で係る色相を選択でき、さらに、簡易なハードウェア・ソフトウェア構成でこれらを実現化し得る画像形成装置の提供を目的とする。
【課題を解決するための手段】
【０００７】
上記目的を達成するため、本発明の画像形成装置は、請求項１に記載するように、予め入力画像データと出力画像データとが対応づけられた色変換テーブルを備え当該色変換テーブルを参照することによって入力した画像データを出力形式の画像データに変換し出力を行う画像形成装置であって、入力した第一の画像データを、色相値を含む第二の画像データに変換する第一データ変換手段と、前記第二の画像データに含まれる色相値を、予め指定された一の色相値に置換するデータ置換手段と、前記データ置換手段を介して得られた画像データに対して、前記第一データ変換手段の逆変換を実行する第二データ変換手段と、前記第二データ変換手段を介して得られた画像データを、前記色変換テーブルを参照することによって出力形式の画像データに変換する色変換手段と、を備えた構成としてある。
【０００８】
このような構成からなる本発明の画像形成装置によれば、被写体となるフルカラー画像等の入力データを、一旦、別の形式のデータに変換し、一の色相に統一（単色相化）した上で、再度元のデータ形式に戻す処理を行うようにしている。
そして、その処理の結果、得られた画像データを、色変換テーブルを参照することにより出力用の画像データに変換して出力するようにしてある。
このため、通常のフルカラー画像形成装置により、必要に応じてモノクロームカラーの画像データを容易に生成し、出力させることが可能となる。
特に、本発明の実施に不可欠な色変換テーブルは、フルカラー画像形成装置に標準的に備えられているものをそのまま利用することができ、また、簡易なアルゴリズムによって本発明を実現することができるため、ソフト・ハードの両面から装置の構成を簡易なものとすることができる。
さらに、出力する単色相の画像としては、任意の色相を選択できることから、利便性に優れるだけでなく、様々な応用も期待できるため、拡張性に優れた画像形成装置を実現することが可能である。
【０００９】
また、本発明の画像形成装置は、請求項２、請求項３及び請求項４に記載するように、前記第一の画像データは、ＲＧＢ形式の画像データであり、前記第二の画像データは、ＨＣＢ形式の画像データであり、前記出力形式の画像データは、ＣＭＹＫ形式の画像データとするようにしてある。
【００１０】
このような構成からなる本発明の画像形成装置によれば、入力ＲＧＢデータを一旦ＨＣＢデータに変換し、次に、彩度（Ｃ）及び明度（Ｂ）の値は維持したまま、色相（Ｈ）のみを所望の色相（Ｈ’）に置換して単色相化したうえで、再度、元のＲＧＢデータに戻す作業を行い、最終的にはこのＲＧＢデータを従来の色変換手段によってＣＭＹＫデータに変換し、出力するようにしてある。
ここで、ＲＧＢ／ＣＭＹＫ変換は、一般的なフルカラー画像形成装置に標準的に備えられている色変換テーブルを参照することによって行われるが、本発明の色変換手段についてもこの色変換テーブルをそのまま利用することができるため、特にハードウェア面において改造等を加える必要性が生じない。
【００１１】
また、本発明の第一データ変換手段に相当するＲＧＢ／ＨＣＢ変換については、公知の手法が存在し、さらには、ＨＣＢ／ＲＧＢ変換はそのＲＧＢ／ＨＣＢ変換をそのまま逆変換して利用することができるため、ソフトウェア面においてもアルゴリズムを簡易なものとすることができる。
このため、汎用性・拡張性等に優れた本発明の画像形成装置を容易に実現することが可能となっている。
【００１２】
また、本発明の画像処理方法は、請求項５に記載するように、予め入力画像データと出力画像データとが対応づけられた色変換テーブルを備え当該色変換テーブルを参照することによって入力した画像データを出力形式の画像データに変換し出力を行う画像形成装置によって、所定の入力画像データを任意の色相に単色相化して出力する画像処理方法であって、入力した第一の画像データを、色相値を含む第二の画像データに変換する第一のステップと、前記第二の画像データに含まれる色相値を、予め指定された一の色相値に置換する第二のステップと、前記第二のステップを介して得られた画像データに対して、前記第一のステップで行った変換の逆変換を実行する第三のステップと、前記第三のステップを介して得られた画像データを、前記色変換テーブルを参照することによって、出力形式の画像データに変換する第四のステップと、前記第四のステップを介して得られた画像データを出力する第五のステップと、を有する方法としてある。
【００１３】
このように、本発明は上述した装置発明だけでなく、方法発明としても実現化することができる。
したがって、ハードウェアの構成にとらわれることなく発明を実施することができるため、汎用性、拡張性に優れた方法として提供し、様々な形態によって本発明を実現化することが可能である。
【００１４】
また、本発明の画像処理プログラムは、請求項６に記載するように、予め入力画像データと出力画像データとが対応づけられた色変換テーブルを備え当該色変換テーブルを参照することによって入力した画像データを出力形式の画像データに変換し出力を行う画像形成装置によって、所定の入力画像データを任意の色相に単色相化して出力する画像処理プログラムであって、前記画像形成装置を構成するコンピュータを、入力した第一の画像データを、色相値を含む第二の画像データに変換する第一データ変換手段、前記第二の画像データに含まれる色相値を、予め指定された一の色相値に置換するデータ置換手段、前記データ置換手段を介して得られた画像データに対して、前記第一データ変換手段の逆変換を実行する第二データ変換手段、前記第二データ変換手段を介して得られた画像データを、前記色変換テーブルを参照することによって出力形式の画像データに変換する色変換手段、として機能させるためのプログラムとしてある。
【００１５】
このように本発明はプログラムとしても実現化することができる。
これにより、プリンタのみならず、イメージスキャナや複写機等、コンピュータ機能を備えた様々な画像形成装置にプログラムをインストールすることによって本発明を実現することができ、汎用性，拡張性に優れた画像処理プログラムとして提供することができる。
【発明の効果】
【００１６】
以上のように、本発明の画像処理装置等によれば、対象となるフルカラー画像を、所望の色相に単色相化して出力することを容易に実現することが可能となる。
【発明を実施するための最良の形態】
【００１７】
以下、本発明の好ましい実施形態について図１〜図９を参照して説明する。
ここで、以下に示す本実施形態の画像形成装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の画像形成装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１８】
図１は、本発明の一実施形態に係る画像形成装置の概略構成を示すブロック図である。
図１に示すとおり、本実施形態の画像形成装置は、画像情報入力部１０１，単色相化処理部５００，色変換処理部１０２、ガンマ補正部１０３、スクリーン処理部１０４及び画像情報出力部１０５によって構成される。
以下に本実施形態の画像形成装置を構成する各部の詳細説明を行う。
【００１９】
画像情報入力部１０１は、フルカラー画像等の画像データを入力するものであり、具体的には、ＲＧＢ形式の画像データを、外部のホストコンピュータ等から入力するためのインタフェースを構成している。
単色相化処理部５００は、画像情報入力部１０１によって入力された画像データを、所望の色相に単色相化し、後述する色変換処理部１０２にデータを受け渡すものである。
具体的には、本発明の第一データ変換手段、第二データ変換手段及びデータ置換手段によって構成されている。
【００２０】
第一データ変換手段は、入力されたＲＧＢデータをＨＣＢ形式の画像データに変換するものであり、これにより色相値（Ｈ）、彩度値（Ｃ）、明度値（Ｂ）の各データを求めることができる。
なお、ＲＧＢデータからＨＣＢデータへの具体的な変換方法については、後述する。
データ置換手段は、第一データ変換手段により取得したＨＣＢデータに含まれる色相値（Ｈ）を、ユーザが指定する任意の色相（Ｈ’）に統一するために、置換処理を行い、単色相化された画像データ（Ｈ'ＣＢ）を取得する。
第二データ変換手段は、データ置換手段により取得した画像データを、もとのデータ形式（ＲＧＢデータ）に逆変換するものである。
特に、本実施形態においては、前記第一データ変換手段で用いたＲＧＢ／ＨＣＢ変換方式をそのまま逆変換して利用することによりＲＧＢデータを取得することとしている。
【００２１】
色変換処理部１０２は、単色相化処理部５００の処理を介して得られた画像データを出力形式の画像データに変換するものであり、本発明の色変換手段を構成するものである。
具体的には、前述の通り、所定の色変換テーブルを参照することにより、ＲＧＢデータをＣＭＹＫデータに変換する。
ガンマ補正部１０３は、色変換処理部１０２を介して取得したＣＭＹＫデータに対して所定のガンマ特性の補正を行うものであり、スクリーン処理部１０４は、ＣＭＹＫの各データが干渉を起こさないように階調度の調整を行うものである。
【００２２】
ここで、以上のような構成からなる本実施形態の画像形成装置における単色相化処理について図面を参照しつつ詳細に説明する。
図２は、本実施形態に係る画像形成装置の単色相化処理部５００における処理を説明するためのフローチャートである。
図２及び前述に示すとおり、単色相化処理部５００は、まず、原画像としてのＲＧＢデータを外部のホストコンピュータ等から入力することから始まる（Ｓ５０１）。
入力された原画像のＲＧＢデータは、所定の方法によりＲＧＢ／ＨＣＢ変換が行われ（Ｓ５０２）、ＨＣＢデータが生成される（Ｓ５０３）。
【００２３】
ここで、前記ＲＧＢ／ＨＣＢ変換の方法について図３〜図７を参照しながら詳細に説明する。
図３は、ＲＧＢ空間を三次元的に表した説明図であり、線分Ｗ−Ｂｋを直線Ｌ（ｒ＝ｇ＝ｂ）としたものである。
また、図４は、図３に示すＲＧＢ空間を直線Ｌが鉛直になるように回転して表した説明図であり、さらに図５は、これらの図を対角線のＷ点方向から眺めた場合の説明図である。このようにＲＧＢデータ及びＣＭＹＫデータを環状に表すことによって、色相を０°〜３６０°の範囲の角度（色相角）によって示すことができる。
【００２４】
ここで、図６に示すように、ＲＧＢ空間において、任意の点Ａ｛ｒ，ｇ，ｂ｝が存在する場合、直線Ｌへの垂線の足を点Ｅとしたときの点Ｅの座標値について次式を用いて算出する。
Ｅ＝｛（ｒ＋ｇ＋ｂ）／３，（ｒ＋ｇ＋ｂ）／３，（ｒ＋ｇ＋ｂ）／３｝｝
そして、任意のＲＧＢ値に対応する彩度は、線分ＥＡの長さに相当するため、彩度値Ｃは次の演算により算出することができる。
Ｃ＝（ＥＡ×ＥＡ）0.5＝｜EA｜
但し、ＥＡ＝｛ｒ−（ｒ＋ｇ＋ｂ）／３，ｇ−（ｒ＋ｇ＋ｂ）／３，ｂ−（ｒ＋ｇ＋ｂ）／３｝とする。
【００２５】
次に、任意のＲＧＢ値に対応する色相値Ｈを算出するに当たり、基準とする色相方向を予め設定する必要がある。この色相方向は任意に設定することができるが、ここでは、例えば、図６や図７に示すように、赤（Ｒ）方向、すなわち点Ｆ｛１，０，０｝方向を色相角０°と設定して、点Ｆから直線Ｌに下ろした垂線の足を点Ｚとし、ベクトルＥＡ、ベクトルＺＦを求め、これらベクトルのなす角（色相角）に相当する色相値Ｈを算出する。
【００２６】
具体的には、プログラム上（例えば、Ｃ言語等）、次の演算により色相値（色相角）Ｈを求めることができる。
H=ArcCos［(EA.ZF)/((EA.EA)^.5)x((ZF.ZF)^.5)］*(sign)
但し、Ｆ=｛1,0,0｝、Z=｛1/3,1/3,1/3｝、ZF＝｛2/3,-1/3,-1/3｝とし、signは、ベクトルＥＡとベクトルＺＦの外積と直線Ｌの方向ベクトル｛1,1,1｝との内積を算出したときの符号を利用し、例えば、正であれば＋１とし、負であれば−１として設定し、あるいは、その逆として設定する。signを乗じているのは、ArcCos［(EA.ZF)/((EA.EA)^.5)x((ZF.ZF)^.5)］だけで位相角を計算した場合、ベクトルEAがベクトルZFに対し時計回り方向に角度が進んでいても、反時計回り方向に同量で角度が遅れていても同じ値になってしまう不都合が生ずるからであり、色相角の方向を一意的に定義するためである。
【００２７】
sign関数の代わりに、ベクトルＥＡ、ベクトルＺＦを求める時点で単位ベクトル化してからこれらの外積を求め、直線Ｌの方向ベクトルとの内積Ｓを計算しその結果を乗じてもよい。
つまり、Ｓ＝｛(EA*ZF)/｜(EA*ZF)｜｝．｛WBk/｜WBk｜｝として、
Ｈ＝Cos-1｛(EA.ZF)/(｜EA｜ｘ｜ZF｜)｝ｘＳ
によって色相角を求めても良い（但し、a*bはベクトルaとベクトルｂの外積を意味し、ａ.bはベクトルａとベクトルｂの内積を意味し、｜a｜はベクトルａの大きさを意味する）。
また、任意点が直線Ｌ上に位置するときは、暫定的に予め定めた既定色相値を割り当てることとしてもよい。
【００２８】
次に、任意のＲＧＢ値に対応する明度値Ｂを計算するに当たり、黒（Ｂｋ）にＲＧＢ値を点Ｉ｛０，０，０｝としたときの線分ＩＥの長さが明度値に相当するため、具体的には、次の演算によって明度値Ｂを計算することができる。
Ｂ=EI.EI^(.5)＝｜EI｜
以上のようにして、任意のＲＧＢデータに対応するＨＣＢデータを算出することができる。
【００２９】
また、ユーザが所望の色相を選択することで、その色相値を具体的に算出するようにしておき、単色相化にかかる一の色相値（Ｈ’）を予め指定しておく（Ｓ５０４）。
具体的には、図８に示すように、所望色選択部８０１と所望色相値算出部８０２によって各々以下の処理を行う。
所望色選択部８０１は、色相が徐々に変化し全色相が表示された色相環や所定のパッチ画像等を図９のようにディスプレイ等に表示しておき、これをユーザがマウス等のポインティングデバイスによって選択する。なお、図９に示す色相環は、モノクローム表示となっているが、実際には、有彩色のフルカラー表示で示される。
また、所望のＲＧＢ値をユーザが直接入力することによりＲＧＢ値を読み込ませても良い。
そして、所望色相値算出部８０２は、上記ＲＧＢ値を、ステップＳ５０２と同様の手段（第一データ変換手段）によりＨＣＢデータに変換することにより、所望の色相値（Ｈ’）を抽出することができる。
【００３０】
次に、ステップＳ５０３を介して得られた原画像のＨＣＢ値の色相値（Ｈ）を、前記所望の色相値Ｈ’に置換して（Ｓ５０５）、画像データ（Ｈ'ＣＢ）を取得する（Ｓ５０６）。
そして、ステップＳ５０６で得られた画像データ（Ｈ'ＣＢ）に対して、ＨＣＢ／ＲＧＢ変換を行うことによって（Ｓ５０７）、原画像の元のデータ形式（ＲＧＢデータ）で、かつ、単色相化された画像データ（Ｒ’Ｇ’Ｂ’）が得られることとなる（Ｓ５０８）。
なお、ここで得られた画像データ（Ｒ’Ｇ’Ｂ’）については、前述の通り、色変換処理部１０２によって出力形式の画像データ（ＣＭＹＫデータ）に変換され、画像情報出力部１０５により出力されることとなる。
また、ここで行われるＨＣＢ／ＲＧＢ変換は、ステップＳ５０２で用いたＲＧＢ／ＨＣＢ変換の方法を逆変換することによって行われる。
【００３１】
以上説明したように、本実施形態の画像形成装置によれば、単色相化処理部５００が、入力ＲＧＢデータを一旦ＨＣＢデータに変換し、そのうち色相値（Ｈ）を任意の色相値（Ｈ’）に置換した上で、ＲＧＢデータに逆変換することによって、ＲＧＢデータ（Ｒ’Ｇ’Ｂ’）を取得し、所定の色変換テーブルを参照することによって、単色相化された所定の画像データを出力できるようになっている。
【００３２】
このため、フルカラー画像を出力できることは勿論のこと、必要に応じて、単色相化された画像を取得することができるようになり、利便性の向上を図ることができる。
また、従来のフルカラー画像形成装置に標準的に備えられている色変換処理部１０２（色変換テーブル）をそのまま利用することができるため、特に改造等は不要であり、また、簡単なプログラムの変更によって、本発明を実現することができる。
したがって、容易、かつ、低コストに本発明の画像形成装置を提供することが可能である。
さらに、ユーザは、任意の色相値を指定することができるため、利便性をさらに向上させることができ、拡張性にも優れた画像形成装置を提供することが可能である。
【００３３】
以上、本発明の画像形成装置について、好ましい実施形態を示して説明したが、本発明にかかる画像形成装置は、上述した実施形態にのみ限定されるものではなく、本発明の範囲で種々の変更実施が可能であることは言うまでもない。
例えば、本発明の画像形成装置は、第一データ変換手段において、ＲＧＢデータをＨＣＢデータ以外の他のデータ形式（例えば、ＨＳＶ、ＨＳＬ、ＨＬＳ、ＨＳＩ等）に変換し、また、その逆変換を利用する構成であってもよい。
これにより、さらに実施形態の範囲が広がり、さらに拡張性を向上させることが可能となる。
【産業上の利用可能性】
【００３４】
本発明は、色変換テーブルを参照することによって色変換を行う色変換手段を備えた画像形成装置に好適に利用することができる。
【図面の簡単な説明】
【００３５】
【図１】本発明の一実施形態に係る画像形成装置の概略構成を示すブロック図である。
【図２】本実施形態の画像形成装置における単色相化処理を説明するためのフローチャートである。
【図３】本実施形態に係る画像形成装置において論理的に用いるＲＧＢ空間を説明するための説明図である。
【図４】図３に示すＲＧＢ空間を、線分Ｗ−Ｂｋからなる直線Ｌを鉛直になるように回転して表した図である。
【図５】図３に示すＲＧＢ空間を、直線ＬのＷ点方向から眺めた場合の図である。
【図６】図３に示すＲＧＢ空間上の任意の点Ａにおける彩度、明度を説明するための説明図である。
【図７】図６に示すＲＧＢ空間上の任意の点Ａを、直線ＬのＷ点方向から眺めた場合の図である。
【図８】本実施形態に係る画像形成装置において所望の色相の抽出方法を説明するための説明図である。
【図９】本実施形態に係る画像形成装置における所望色相選択画像の例を示した説明図である。
【図１０】従来の画像形成装置の概略構成を示すブロック図である。
【符号の説明】
【００３６】
１０１  画像情報入力部
１０２  色変換処理部
１０３  ガンマ補正部
１０４  スクリーン処理部
１０５  画像情報出力部
５００  単色相化処理部
【図１】
2009010572.tif 000003
【図２】
2009010572.tif 000004
【図３】
2009010572.tif 000005
【図４】
2009010572.tif 000006
【図５】
2009010572.tif 000007
【図６】
2009010572.tif 000008
【図７】
2009010572.tif 000009
【図８】
2009010572.tif 000010
【図１０】
2009010572.tif 000011
【図９】
2009010572.tif 000012